(57)【要約】【課題】室内空間等のデザインの自由度が拡がり、インテリアデザインにおいての創作性を十分に発揮き、表現されたデザインを容易に変更することが可能であり、別のデザインに効率的に対応できる装飾構造と装飾体を実現する。【解決手段】フラワーアートパネル、立設したフラワーアートパーティション、机上その他に載置したフラワーアートボックスを具え、フラワーアートパネルは底板とこれに草木等の自然素材、プリザーブドフラワーを着脱自在接合手段を介して所望のデザインに配置し、フラワーアートパーティションは床面に自立可能な基板とこれに草木その他の自然素材とプリザーブドフラワーを着脱自在接合手段を介して所望のデザインに配置し、フラワーアートボックスは、筺体内部に草木等の自然素材、プリザーブドフラワーを着脱自在接合手段を介して所望のデザインに配置して構成した室内空間装飾構造。【選択図】  図６
0003146317.tif 000002
【実用新案登録請求の範囲】
【請求項１】
プリザーブドフラワーを装飾要素とした室内空間装飾構造であって、室内壁面等に掲額したフラワーアートパネルと、床面その他に配置立設したフラワーアートパーティションと、机上その他に載置したフラワーアートボックスと  を具え、前記フラワーアートパネルは底板とこの底板に草木その他の自然素材およびプリザーブドフラワーを着脱自在接合手段を介して所望のデザインに配置してなり、前記フラワーアートパーティションは床面に自立可能な基板とこの基板に草木その他の自然素材およびプリザーブドフラワーを着脱自在接合手段を介して所望のデザインに配置してなり、前記フラワーアートボックスは、上面開口の筺体内部に草木その他の自然素材およびプリザーブドフラワーを着脱自在接合手段を介して所望のデザインに配置して構成したことを特徴とする室内空間装飾構造。
【請求項２】
室内壁面等に掲額するとともに、デザインを時宜に応じて所望の構成になし得るフラワーアートパネルであって、縁部を有する底板、若しくは縁部を有しない底板とこの底板に草木その他の自然素材およびプリザーブドフラワーを着脱自在接合手段を介して所望のデザインに配置してなるフラワーアートパネル。
【請求項３】
請求項２記載のフラワーアートパネルにおいて、前記底板は透明素材で構成したことを特徴とするフラワーアートパネル。
【請求項４】
プリザーブドフラワーを主デザイン要素となすとともに  床面その他に配置立設してデザインを時宜に応じて所望の構成になし得るフラワーアートパーティションであって、床面に自立可能な基板とこの基板に草木その他の自然素材およびプリザーブドフラワーを着脱自在接合手段を介して所望のデザインに配置してなることを特徴とするフラワーアートパーティション。
【請求項５】
プリザーブドフラワーを主デザイン要素となすとともに  床面その他に配置立設してデザインを時宜に応じて所望の構成になし得るフラワーアートパーティションであって、床面に自立可能な基板とこの基板に請求項２又は３いずれか記載のフラワーアートパネルを配置してなることを特徴とするフラワーアートパーティション。
【請求項６】
机上その他に載置したフラワーアートボックスであって、蓋なし又は上面に着脱できる蓋を具える筺体内部に草木その他の自然素材およびプリザーブドフラワーを着脱自在接合手段を介して所望のデザインに配置して構成したことを特徴とするフラワーアートボックス。
【請求項７】
請求項１ないし６いずれかにおいて、前記着脱自在接合手段は粘着材、両面粘着テープ、再剥離用接着剤等の接着・剥離を繰り返すことのできる粘着材又は接着剤で構成することを特徴とする室内空間装飾構造又はフラワーアートパネル又はフラワーアートパーティション又はフラワーアートボックス。
【請求項８】
請求項１ないし６いずれかにおいて、前記着脱自在接合手段は挟持金具および又はピンで構成したことを特徴とする室内空間装飾構造又はフラワーアートパネル又はフラワーアートパーティション又はフラワーアートボックス。
【考案の詳細な説明】
【技術分野】
【０００１】
本願考案は、花卉によるデザイン表現であるフラワーアートに係る各種装飾体と、これらを使用して創作的感性を豊に発揮しえる室内空間装飾構造に関し、なお詳しくは、草木その他の自然素材およびプリザーブドフラワーをデザインの主要構成要素とする装飾パネルであるフラワーアートパネル、装飾パーティションであるフラワーアートパーティション、装飾ボックスであるフラワーアートボックスと、これらを使用する室内空間装飾構造に関するものである。
【背景技術】
【０００２】
従来の花卉をデザインの主材とするものとしては、いわゆる伝統的な生け花などがあり、これはそれ自体が単体としての装飾体でもある一方、この生花を室内空間のインテリアデザインの要素として捉えることもできる。  すなわち、例えば茶室に活けられた一輪の花は、それ自体が装飾体でありかつ茶室空間のデザインを構成している。
また、前記の伝統的な生け花のほか、近年では、ドライフラワーあるいは生花を保存処理したいわゆるプリザーブドフラワーをデザイン主要素にした装飾体なども各種提案されている。
【０００３】
なお、本願考案と関連する技術が次の文献において開示されている。
【特許文献１】特開２００６−３０６７６１号公報
【特許文献２】特開２００６−０６９１２４号公報
【特許文献３】特開２００５−１２５７２７号公報
【特許文献４】特開２００４−３３８２４７号公報
【特許文献５】特開２００１−３３４７９７号公報
【特許文献６】特開平０７−００１８９７号公報
【考案の開示】
【考案が解決しようとする課題】
【０００４】
しかしながら、従来の伝統的な生け花は、載置する場所限られてしまい、たとえば室内空間のデザインの自由度に制限を受け、インテリアデザインにおいての創作性を十分に発揮することができない。
また、プリザーブドフラワーやドライフラワーを主体とする従来のパネル状の装飾体は生け花における上記問題を解消できるが、パネルに表現されたデザインを自由に変更することが困難であり、別途のデザインが望まれる場合は、例えばパネル状の装飾体自体を交換する必要がある。  さらに、これら従来のパネル等は壁面への配置を主とするものであるから、その用途・機能が限られてしまい、空間を画定、装飾するような使い方が不可能であり、折角の優れたデザインの活用に著しい制限がある。
本願考案の目的ないし課題は、上記のような不都合・課題を解決して、優れたデザインを空間において、全方位に活用し、しかもデザインの内容更新を容易にしようとするものである。
【課題を解決するための手段】
【０００５】
本願考案は、プリザーブドフラワーを主とした装飾要素とした室内空間装飾構造を、室
内壁面等に掲額したフラワーアートパネルと、床面その他に配置立設したフラワーアートパーティションと、机上その他に載置したフラワーアートボックスとを具えて構成し、前記フラワーアートパネルは底板とこの底板に草木その他の自然素材およびプリザーブドフラワーを着脱自在接合手段を介して所望のデザインに配置してなり、前記フラワーアートパーティションは床面に自立可能な基板とこの基板に草木その他の自然素材およびプリザーブドフラワーを着脱自在接合手段を介して所望のデザインに配置してなり、前記フラワーアートボックスは、上面開口の筺体内部に草木その他の自然素材およびプリザーブドフラワーを着脱自在接合手段を介して所望のデザインに配置構成することにより、上記従来の課題を解決しようとするものである。
【０００６】
本願考案また、室内壁面等に掲額するとともに、デザインを時宜に応じて所望の構成になし得るフラワーアートパネルであって、縁部を有する底板、若しくは縁部を有しない底板とこの底板に草木その他の自然素材およびプリザーブドフラワーを着脱自在接合手段を介して所望のデザインに配置してなるフラワーアートパネルを提供して、上記従来の課題を解決しようとするものである。  このフラワーアートパネルは、前記の室内空間装飾構造のデザイン構成要素として用いることができる。
【０００７】
また、上記のフラワーアートパネルにおいて、前記底板は透明素材で構成することがあり、さらにはデザインの上面をさらに有色または無色の透明板でカバーすることがある。特徴とするフラワーアートパネル。
【０００８】
本願考案は、さらに、プリザーブドフラワーを主デザイン要素となすとともに  床面その他に配置立設してデザインを時宜に応じて所望の構成になし得るフラワーアートパーティションを、床面に自立可能な基板とこの基板に草木その他の自然素材およびプリザーブドフラワーを着脱自在接合手段を介して所望のデザインに設定配置することにより、上記従来の課題を解決しようとするものである。このフラワーアートパーティションは、前記の室内空間装飾構造のデザイン構成要素として用いることができる。
【０００９】
本願考案はまた、プリザーブドフラワーを主デザイン要素となすとともに  床面その他に配置立設してデザインを時宜に応じて所望の構成になし得るフラワーアートパーティションであって、床面に自立可能な基板とこの基板に前記段落０００６又は０００７いずれか記載のフラワーアートパネルを配置してなるフラワーアートパーティションを提供して、上記従来の課題を解決しようとするものである。
【００１０】
本願考案はさらに、机上その他に載置する装飾置物としてのフラワーアートボックスを、蓋なし又は上面に着脱できる蓋を具える筺体内部に草木その他の自然素材およびプリザーブドフラワーを着脱自在接合手段を介して所望のデザインに配置して構成して、上記従来の課題を解決しようとするものである。
【００１１】
そして、段落０００５ないし００１０いずれか記載のものにおいて、前記着脱自在接合手段は粘着材、両面粘着テープ、再剥離用接着剤等の接着・剥離を繰り返すことのできる粘着材又は接着剤で構成する室内空間装飾構造又はフラワーアートパネル又はフラワーアートパーティション又はフラワーアートボックスを提供する。
【００１２】
さらまたに、段落０００５ないし００１０いずれか記載のものにおいて、前記着脱自在接合手段は挟持金具および又はピンで構成してなる室内空間装飾構造又はフラワーアートパネル又はフラワーアートパーティション又はフラワーアートボックスを提供する。
【考案の効果】
【００１３】
本願考案にあっては、上記構成になる種々のものを提供することにより、以下のような効果を得ることができる。
イ：従来の伝統的な生け花に比較して、載置する場所に制限されず、たとえば室内空間のデザインの自由度が拡がり、インテリアデザインにおいての創作性を十分に発揮することができる。
ロ：また、プリザーブドフラワーやドライフラワーを主体とする従来のパネル状の装飾体と異なり、パネルに表現されたデザインを自由かつ容易に変更することが可能であり、別途のデザインが望まれる場合に効率的に対応できる。
ハ：従来のパネル等は壁面への配置を主とするものであるから、その用途・機能が限られてしまい、空間を画定、装飾するような使い方が不可能であり、折角の優れたデザインの活用に著しい制限を余儀なくされるが、本願考案にあっては、必要に応じた種々様々な用途に対応することができ、創作されたデザインの鑑賞できる領域を大幅に増大し、優れたデザインを空間において、全方位に活用し、しかもデザインの内容更新を容易になすことができる。
【考案を実施するための最良の形態】
【００１４】
室内空間装飾構造は、美的感覚の具象化により創作案出される空間の全体的装飾雰囲気を意味する。  すなわち、本願に係る室内空間装飾構造は、フラワーアートパネル又はフラワーアートパーティション又はフラワーアートボックスを創作者の審美的感覚にしたがって前記フラワーアートパネルその他を空間のそこここに配置することにより構成される立体的に構成されるデザインの統合体を意味している。
【００１５】
フラワーアートパネルは、縁部を有する底板、若しくは縁部を有しない底板とこの底板に、着脱自在接合手段を介して所望のデザインに配置してなるものでる。  底板は、その素材を問わないが通常はベニヤ合板などを使用するが、硬質紙材その他も使用できる。  縁部は、普通の額縁にみられるものをデザイン内容あるいはプリザーブドフラワー等、デザイン構成要素の種類、色彩等に応じて適宜選択して使用する。
【００１６】
前述において、フラワーアートパネルは、謂わば額縁に嵌め込んだ形態を有しているが、縁部のない平板形状のもので構成することもあり、特に底板に透明板を使用すると静謐かつ孤高感を演出することができる。
【００１７】
フラワーアートパネルは、草木その他の自然素材およびプリザーブドフラワー、特にプリザーブドフラワーをデザインの主たる構成要素にしているが、このプリザーブドフラワーは、植物に保存用有機物、時には色素をも併せて吸収させた半人工花卉として知られている。花がそのみずみずしさを数年にわたって保つことができ、自然にはない色合いの花（例えばグリーンやブルーのローズなど）を作り出すことができるという特徴を持つ。      
しかも、長期間水を与えなくてもほんものの生花と見紛うほどのみずみずしい質感を維持するので、従来の生花では実現できなかった新たな表現領域の開拓を可能にする花材といえる。
【００１８】
プリザーブドフラワーとして利用できる花の種類は、大、中、小型のバラ、カーネーション、デンファレ、シンビジュウム、アジサイ、ダリア等多数あり、また、ラムズイヤー、ファーガス、ヘデラ、アイビー（実なし）、アイビー（実つき）、サラール等の葉物も利用できる。  プリザーブドフラワーは、生花の長い歴史に比較すれば、まだ生まれて間もない花材であり、その特性を活かした用途開発が急がれている。
【００１９】
本願考案におけるデザイン要素は、前述のプリザーブドフラワーばかりでなく、従来の生花、草木、生葉、落葉、鉱物質材、人工物その他を適宜に使用できる。  これらの素材は、着脱自在接合手段は、粘着材、両面粘着テープ、再剥離用接着剤等の接着・剥離を繰り返すことのできる粘着材あるいは挟持金具および又はピンなどで構成する。このため、デザイン構成要素を必要に応じて既存のものに換えて自在に交換し、全く新しい構成のデザインを容易に創造することができる。
【００２０】
本願に係るフラワーアートパーティションの形態は従来のパーティションと同一であるが、表出されたデザインがプリザーブドフラワーを主デザイン要素となすとともに  床面その他に配置立設してデザインを時宜に応じて所望の構成になし得る。  このフラワーアートパーティションを、室内、ホール等の案内通路に設定配置することにより、従来にはない新規な演出効果を発揮せしめることが可能である。  デザイン要素としてのプリザーブドフラワー等の用い方は上記のフラワーアートパネルと同様である。
【００２１】
上記のフラワーアートパーティションは、その基板に、直接プリザーブドフラワーを貼付した例であるが、これに替えて、前述した種々のデザイン内容のフラワーアートパネルを設置構成してもよい。
【００２２】
机上その他に載置する装飾置物としてのフラワーアートボックスを構成する筺体は、蓋なし又は上面に着脱できる蓋を具えている。  筺体の材質は、皮革類その他、室内等に配置するにあたり、調和が保てる質感を具備していることが好ましい。筺体内部に草木その他の自然素材およびプリザーブドフラワーを着脱自在接合手段を介して所望のデザインに配置して構成されるが、その詳細は、上記のフラワーアートパネル、フラワーアートパーティションの場合と同様である。
【実施例】
【００２３】
次に、図面により本願考案の実施例を順次説明する。  図１は、本願考案に係る室内空間装飾構造の構成概念を示すブロック図である。  図示のように、室内空間装飾構造Ａは、
室内壁面等に掲額したフラワーアートパネル１と、床面その他に配置立設したフラワーアートパーティション２と、机上その他に載置したフラワーアートボックス３とを、デザイン要素として審美的空間を形成するように所望の室内空間に配置して構成されている。    
【００２４】
そして、図２は前記フラワーアートパネルの１実施例に係る一部断面図である。図に示すように、フラワーアートパネル１は、底板１ａと，この底板１ａに草木・鉱物質その他の自然素材２ｂおよびプリザーブドフラワー４を着脱自在接合手段としての再剥離用接着剤５を介して所望のデザインに配置して構成されている。そして、６は、底板１ａの周縁に立設される縁部であるが、この縁部は必ずしも必要ではない。  以上の構成により、例えば、底板１ａに貼付された草木・鉱物質その他の自然素材２ｂおよびプリザーブドフラワー４は、デザイン変更の必要性に応じて簡単に剥離して、あらたに必要なデザイン要素を貼付することができる。
【００２５】
図３は、フラワーアートパネル１の他の実施例に係る一部断面図である。  この実施例では、着脱自在接合手段は断面Ｃ形状の挟持金具１ｃにより構成されている。草木・鉱物質その他の自然素材およびプリザーブドフラワーは挟持金具１ｃを介して着脱自在に底板１ａに取り付けることができる。  こため、前記実施例と同様に底板１ａに貼付された草木・鉱物質その他の自然素材およびプリザーブドフラワーは、デザイン変更の必要性に応じて簡単に剥離して、あらたに必要なデザイン要素を貼付することができる。
【００２６】
図４は、フラワーアートパネル１のさらに他の実施例に係る一部断面図である。  この実施例では、着脱自在接合手段は底板１ａに植立された多数のピン１ｄにより構成されている。  そして、草木・鉱物質その他の自然素材およびプリザーブドフラワーは前記ピン１ｄに穿刺することにより着脱自在に底板１ａに取り付けることができる。  こため、前記実施例と同様に底板１ａに貼付された草木・鉱物質その他の自然素材およびプリザーブドフラワーは、デザイン変更の必要性に応じて簡単に剥離して、あらたに必要なデザイン要素を貼付することができる。
【００２７】
図５は、フラワーアートパーティションの１実施例を示す正面図である。  図において、フラワーアートパーティション２は３種が示されている。  各２ａは、縁部を有する縦長の基板であり、各２ｂは床面その他に配置立設するための脚部である。  基板２ａ表面には、フラワーアートパネル１の説明で前述した各種の着脱自在接合手段を介してプリザーブドフラワー４やその他の草木・鉱物質その他の自然素材が取り付けられている。
【００２８】
図６は、フラワーアートパーティションの他の実施例を示す正面図である。フラワーアートパーティション７は、透明材による基板２ａとこれを囲繞する枠体２ｃと、基板２ａ上に複数配列された前記フラワーアートパネル１を具えている。  そして、前記枠体２ｃは所定の奥行き寸法を有していてその底部が床面に定立させる際の脚部を兼ねるようになっている。
【００２９】
図７は、装飾置物としてのフラワーアートボックスの１実施例を示す斜視図である。図において、８はフラワーアートボックスであり、革材からなる上面開口の筺体８ａと、蓋（不図示）を具えている。筺体底部には、草木その他の自然素材およびプリザーブドフラワー４を前述したような各種の着脱自在接合手段を介して所望のデザインに配置されているが、その詳細は、上記のフラワーアートパネル、フラワーアートパーティションの場合と同様である。
【００３０】
図８は、フラワーアートボックスの他の実施例を示す正面図である。  この実施例において、フラワーアートボックス８を構成する筺体８ａは中央に窓部８ｂを有しているほかは、前記の実施例と同様の構成を有している。
【００３１】
図９ないし図１３は、図２ないし図４において示した構成を有するフラワーアートパネルの種々のデザイン例を示す正面図であり、ただし、図９ないし図１１に係るものはいずれも周縁に縁部を有しているが、図１２と図１３に係るものは縁部を有していない。  図１２に係るものでは、基板上にプリザーブドフラワー等でデザインを構成したうえで、その表面を透明材を架装してある。  図１３に示すものは、たとえば贈答用に表装した例であり、この例では縁部を有していないが、縁部を有するものをこのように表装してもよい。
【００３２】
図１４は、フラワーアートパネルを室内に掲額した例を示す斜視図であり、いずれも不図示のフラワーアートパーティション、フラワーアートボックスとともに室内空間装飾構造をデザインの主構成要素となっている。
【図面の簡単な説明】
【００３３】
【図１】室内空間装飾構造の構成概念を示すブロック図である。
【図２】フラワーアートパネルの１実施例に係る一部断面図である。
【図３】フラワーアートパネル１の他の実施例に係る一部断面図である。
【図４】フラワーアートパネル１のさらに他の実施例に係る一部断面図である。
【図５】フラワーアートパーティションの１実施例を示す正面図である。
【図６】フラワーアートパーティションの他の実施例を示す正面図である。
【図７】装飾置物としてのフラワーアートボックスの１実施例を示す斜視図である。
【図８】フラワーアートボックスの他の実施例を示す正面図である。
【図９】−
【図１３】図２ないし図４において示した構成を有するフラワーアートパネルの種々のデザイン例を示す正面図である。
【図１４】室内空間装飾構造の一部空間を示す斜視図である。
【符号の説明】
【００３４】
Ａ．．．．．．．室内空間装飾構造
１．．．．．．．フラワーアートパネル
１ａ．．．．．．底板
１ｂ．．．．．．自然素材
１ｃ．．．．．．挟持金具
１ｄ．．．．．．ピン
２．．．．．．．フラワーアートパーティション
２ａ．．．．．．基板
２ｂ．．．．．．脚部
２ｃ．．．．．．枠体
３．．．．．．．フラワーアートボックス
３ａ．．．．．．筺体
４．．．．．．．プリザーブドフラワー
５．．．．．．．再剥離用接着剤
６．．．．．．．縁部
【図１】
0003146317.tif 000003
【図２】
0003146317.tif 000004
【図３】
0003146317.tif 000005
【図４】
0003146317.tif 000006
【図５】
0003146317.tif 000007
【図６】
0003146317.tif 000008
【図７】
0003146317.tif 000009
【図８】
0003146317.tif 000010
【図９】
0003146317.tif 000011
【図１０】
0003146317.tif 000012
【図１１】
0003146317.tif 000013
【図１２】
0003146317.tif 000014
【図１３】
0003146317.tif 000015
【図１４】
0003146317.tif 000016
【手続補正書】
【提出日】平成20年9月2日(2008.9.2)
【手続補正１】
【補正対象書類名】図面
【補正対象項目名】図１３
【補正方法】変更
【補正の内容】
【図１３】
0003146317.tif 000017
【手続補正２】
【補正対象書類名】明細書
【補正対象項目名】００３３
【補正方法】変更
【補正の内容】
【００３３】
【図１】室内空間装飾構造の構成概念を示すブロック図である。
【図２】フラワーアートパネルの１実施例に係る一部断面図である。
【図３】フラワーアートパネル１の他の実施例に係る一部断面図である。
【図４】フラワーアートパネル１のさらに他の実施例に係る一部断面図である。
【図５】フラワーアートパーティションの１実施例を示す正面図である。
【図６】フラワーアートパーティションの他の実施例を示す正面図である。
【図７】装飾置物としてのフラワーアートボックスの１実施例を示す斜視図である。
【図８】フラワーアートボックスの他の実施例を示す正面図である。
【図９】図２ないし図４において示した構成を有するフラワーアートパネルの種々のデザイン例を示す正面図である。
【図１０】図２ないし図４において示した構成を有するフラワーアートパネルの種々のデザイン例を示す正面図である。
【図１１】図２ないし図４において示した構成を有するフラワーアートパネルの種々のデザイン例を示す正面図である。
【図１２】図２ないし図４において示した構成を有するフラワーアートパネルの種々のデザイン例を示す正面図である。
【図１３】図２ないし図４において示した構成を有するフラワーアートパネルの種々のデザイン例を示す正面図である。
【図１４】室内装飾構造の一部空間を示す斜視図である。